(57)【要約】      （修正有）【課題】スプーンやフォーク等の飲食物を取り上げるヘッド部を備えたカトラリーに関してヘッド部の姿勢を変更可能としたものを提供する。【解決手段】飲食物を取り上げるヘッド部２と、手指で保持されるグリップ部３と、ヘッド部とグリップ部を連結する折曲自在なアーム部を備え、ヘッド部とグリップ部は、それぞれプラストマーから成ると共に、相互に対向する骨部２ａ、３ａを突設しており、アーム部は、エラストマーから成るアーム本体５と、アーム本体に埋入される金属製の中芯６により構成され、ヘッド部とグリップ部の骨部に中芯の両端部を挿入した状態で、骨部と中芯をアーム本体の内部に埋入している。【選択図】図４
0003212653.tif 000002
【実用新案登録請求の範囲】
【請求項１】
飲食物を取り上げるヘッド部(2)と、手指で保持されるグリップ部(3)と、前記ヘッド部とグリップ部を連結する折曲自在なアーム部(4)を備えたカトラリーであり、
前記ヘッド部(2)とグリップ部(3)は、それぞれプラストマーから成ると共に、相互に対向する骨部(2a)(3a)を突設しており、
前記アーム部(4)は、エラストマーから成るアーム本体(5)と、該アーム本体に埋入される金属製の中芯(6)により構成され、
前記ヘッド部とグリップ部の骨部(2a)(3a)に前記中芯(6)の両端部を挿入した状態で、該骨部(2a)(3a)と中芯(6)を前記アーム本体(5)の内部に埋入して成ることを特徴とするカトラリー。
【請求項２】
前記骨部(2a)(3a)は、前記中芯の端部を挿入する挿入孔(2b)(3b)と、該挿入孔を横断して該骨部を貫通することにより前記中芯の全周に空間を形成する貫通孔(2c)(3c)を設けており、前記貫通孔(2c)(3c)に前記アーム本体(5)のエラストマーが充填されて成ることを特徴とする請求項１に記載のカトラリー。
【請求項３】
前記骨部(2a)(3b)の外周部には、中芯の軸廻り方向に対抗する平面を備えた廻り止め手段(2d)(3d)が設けられており、該廻り止め手段を含んで骨部を前記アーム本体(5)に埋入して成ることを特徴とする請求項１又は２に記載のカトラリー。
【考案の詳細な説明】
【技術分野】
【０００１】
本考案は、スプーンやフォーク等の飲食物を取り上げるヘッド部を備えたカトラリーに関する。
【背景技術】
【０００２】
従来、幼児や高齢者等のユーザがヘッド部で取上げた飲食物を口元に容易に運ぶことができるようにするため、手指で保持するグリップ部を折曲自在に形成し、飲食時の作業性を向上させたカトラリーが提案されている。
【先行技術文献】
【特許文献】
【０００３】
【特許文献１】特開２００５−１７６９５９号公報
【特許文献２】実用新案登録第３０１２８６３号公報
【考案の概要】
【考案が解決しようとする課題】
【０００４】
従来の折曲自在なカトラリーは、飲食物を取り上げるヘッド部を除くグリップ部の全体を金属線材と、該金属線材を被覆する弾性材料又は可撓性材料により形成し、グリップ部の全体を自由に折曲できるように構成している。
【０００５】
しかしながら、このようにグリップ部の全体が折曲自在とされているカトラリーは、グリップ部のうち、手指で保持する部分まで簡単に折曲されるので、その場合、手指で把持することが難しくなり、却って作業性を低下するという問題がある。
【０００６】
しかも、ヘッド部を口元に運び易い姿勢とするようにグリップ部を折曲する際、折曲方向が定まらないので、何度も試行錯誤しながら折曲を繰り返すことにより、最終的にヘッド部を所望の姿勢としなければならない不便がある。
【０００７】
本考案は、プラストマーにより成形されたヘッド部とグリップ部を備え、両者を連結するアーム部だけを折曲自在とすることにより、上記問題を解決したカトラリーを提供するものである。
【課題を解決するための手段】
【０００８】
そこで、上記課題を解決するために本考案が手段として構成したところは、飲食物を取り上げるヘッド部と、手指で保持されるグリップ部と、前記ヘッド部とグリップ部を連結する折曲自在なアーム部を備えたカトラリーであり、前記ヘッド部とグリップ部は、それぞれプラストマーから成ると共に、相互に対向する骨部を突設しており、前記アーム部は、エラストマーから成るアーム本体と、該アーム本体に埋入される金属製の中芯により構成され、前記ヘッド部とグリップ部の骨部に前記中芯の両端部を挿入した状態で、該骨部と中芯を前記アーム本体の内部に埋入して成る点にある。
【０００９】
好ましい実施形態において、前記骨部は、前記中芯の端部を挿入する挿入孔と、該挿入孔を横断して該骨部を貫通することにより前記中芯の全周に空間を形成する貫通孔を設けており、前記貫通孔に前記アーム本体のエラストマーを充填している。
【００１０】
好ましくは、前記骨部の外周部に中芯の軸廻り方向に対抗する平面を備えた廻り止め手段を設け、該廻り止め手段を含んで骨部を前記アーム本体に埋入している。
【考案の効果】
【００１１】
本考案によれば、グリップ部３を折曲不能に構成すると共に握り易い所定形状に形成しているので、ユーザの手指により好適に保持することができ、これに対して、アーム部４は、ユーザの手指で握持されるグリップ部３を基準として、該グリップ部３の軸線３Ｘから傾けるように折曲すると共に折曲姿勢を保持するように構成されているので、ヘッド部２をユーザの口元に運び易い姿勢とするようにアーム部４を折曲する作業が容易である。
【００１２】
そして、アーム部４の折曲方向に関して、アーム本体５のエラストマーと骨部２ａ、３ａ並びに中芯６の端部が相互に強固に接合一体化されているので、剥離するおそれはなく、耐用性に優れている。
【図面の簡単な説明】
【００１３】
【図１】本考案の第１実施形態に係るスプーンを示しており、（Ａ）は正面図、（Ｂ）は縦断側面図である。
【図２】スプーンの使用例を示す正面図である。
【図３】スプーンの構造に関して、（Ａ）はヘッド部及びグリップ部と中芯を分解状態で示す斜視図、（Ｂ）はヘッド部及びグリップ部の骨部を示す拡大斜視図である。
【図４】ヘッド部とグリップ部を中芯により連結し、アーム本体を成形する前の状態を示す斜視図である。
【図５】アーム部の左右方向に関して折曲自在な作用を示す断面図である。
【図６】アーム部の前後方向に関して折曲自在な作用を示す断面図である。
【図７】本考案の第２実施形態に係るフォークを示しており、（Ａ）は正面図、（Ｂ）は縦断側面図である。
【考案を実施するための形態】
【００１４】
以下図面に基づいて本考案の好ましい実施形態を詳述する。
【００１５】
（第１実施形態）
図１ないし図６は、本考案の第１実施形態を示しており、カトラリー１としてのスプーン１ａは、飲食物を取り上げるヘッド部２と、ユーザの手指で保持されるグリップ部３と、前記ヘッド部２とグリップ部３を連結する折曲自在なアーム部４を備えている。
【００１６】
前記ヘッド部２とグリップ部３は、それぞれポリプロピレン等のプラストマーにより成形され、相互に対向する骨部２ａ、３ａを突設している。
【００１７】
前記アーム部４は、熱可塑性エラストマーから成るアーム本体５と、該アーム本体５に埋入されるステンレス等の金属線材から成る中芯６により構成されている。
【００１８】
前記アーム部４は、前記ヘッド部２とグリップ部３の骨部２ａ、３ａに前記中芯６の両端部を挿入した状態で、該骨部２ａ、３ａと中芯６を前記アーム本体５のエラストマーの内部に埋入し一体化している。
【００１９】
従って、図２に示すように、スプーン１ａのグリップ部３は、折曲不能とされており、握り易い所定形状とされているので、ユーザの手指により好適に保持することが可能である。これに対して、アーム部４は、折曲自在であり、折曲することにより、図示のように、グリップ部３の軸線３Ｘからヘッド部２の軸線２Ｘを所定角度θで傾けた傾斜姿勢として保持させることが可能であり、これにより、飲食物を取り上げたヘッド部２をユーザの口元に運び易くすることができる。
【００２０】
アーム部４を折曲すると、金属線から成る中芯６が塑性変形することにより折曲されると共に、これに追従してエラストマーから成るアーム本体５が折曲され、所望の折曲姿勢を保持する。図示実施形態の場合、前記所定角度θは、０度と４５度の範囲で任意に選択することが可能となるように構成されている。
【００２１】
図３及び図４に示すように、スプーン１ａは、所定の金型によりヘッド部２とグリップ部３をそれぞれポリプロピレン等のプラストマーにより成形した後、ヘッド部２とグリップ部３の骨部２ａ、３ａに中芯６の両端部を挿入することによりセット状態としたものを別の金型にインサートし、該金型に熱可塑性エラストマーを射出するインサート成形により、骨部２ａ、３ａと中芯６を包囲するアーム本体５を成形した後、該金型から取出すことにより製造される。
【００２２】
このため、前記骨部２ａ、３ａは、それぞれ中芯６の端部を挿入する挿入孔２ｂ、３ｂを設けており、好ましくは、該挿入孔２ｂ、３ｂを横断して骨部２ａ、３ａを貫通する貫通孔２ｃ、３ｃを設け、該貫通孔２ｃ、３ｃにより、挿入孔２ｂ、３ｂに挿入された中芯６の端部の全周に空間を形成するように構成している。従って、前記インサート成形に際して、アーム本体５を成形するエラストマーを前記貫通孔２ｃ、３ｃに充填することにより、該エラストマーと骨部２ａ、３ａ並びに中芯６の端部を強固に接合一体化することができ、上述のようにアーム部４の折曲に際して、アーム本体５と中芯６と骨部２ａ、３ａが相互に剥離することを好適に防止する。
【００２３】
更に、骨部２ａ、３ａの外周部には、中芯６の軸廻り方向に対抗する平面を備えた廻り止め手段２ｄ、３ｄを設けることが好ましく、該廻り止め手段２ｄ、３ｄを含んで骨部２ａ、３ａをアーム本体５に埋入することにより、前記剥離防止効果を向上させることが好ましい。このような廻り止め手段２ｄ、３ｄは、骨部２ａ、３ａの外周を非円形断面に係止し又は外周に突起等を設けることにより形成することができる。
【００２４】
その結果、スプーン１ａは、ユーザの手指で握持されるグリップ部３を基準として、アーム部４を折曲すると共に折曲姿勢で保持することが可能であり、アーム部４は、図５に示すようにヘッド部２の左右方向Ｘに折曲自在な他、図６に示すようにヘッド部２の前後方向Ｙにも折曲自在とされており、何れの折曲方向に関しても、アーム本体５のエラストマーと骨部２ａ、３ａ並びに中芯６の端部が相互に強固に接合一体化され、剥離するおそれはない。
【００２５】
（第２実施形態）
図７は、本考案の第２実施形態を示しており、カトラリー１としてフォーク１ｂを提供するものであり、ヘッド部２の形状が相違する他は、上記第１実施形態と同様の技術的構成を備えているので、上述の説明を援用する。
【符号の説明】
【００２６】
１  カトラリー
１ａ  スプーン
１ｂ  フォーク
２  ヘッド部
２ａ  骨部
２ｂ  挿入孔
２ｃ  貫通孔
２ｄ  廻り止め手段
３  グリップ部
３ａ  骨部
３ｂ  挿入孔
３ｃ  貫通孔
３ｄ  廻り止め手段
４  アーム部
５  アーム本体
６  中芯
【図１】
0003212653.tif 000003
【図２】
0003212653.tif 000004
【図３】
0003212653.tif 000005
【図４】
0003212653.tif 000006
【図５】
0003212653.tif 000007
【図６】
0003212653.tif 000008
【図７】
0003212653.tif 000009